【手続補正書】
【提出日】平成20年8月6日(2008.8.6)
【手続補正１】
【補正対象書類名】明細書
【補正対象項目名】発明の名称
【補正方法】変更
【補正の内容】
【発明の名称】画像処理装置、画像処理方法、プログラム及び記憶媒体
【手続補正２】
【補正対象書類名】明細書
【補正対象項目名】特許請求の範囲
【補正方法】変更
【補正の内容】
【特許請求の範囲】
【請求項１】  複数の画像と当該複数の画像の付帯情報とを記録媒体上に配置してプリントするための画像処理装置であって、
前記複数の画像の配置方法を選択する選択手段と、
前記選択手段による画像の配置方法の選択に応じて、前記付帯情報の配置位置を画像内とするか画像外とするかを制御する配置制御手段とを有することを特徴とする画像処理装置。
【請求項２】  前記選択手段は、記録媒体上の印刷領域の長辺と画像の長辺が一致するように画像を回転させて配置する第１の配置方法を選択可能であり、
前記配置制御手段は、前記選択手段により前記第１の配置方法が選択された場合に、前記付帯情報の配置位置を画像内とし、さらに、画像の回転に応じて前記付帯情報の配置位置も回転させることを特徴とする請求項１に記載の画像処理装置。
【請求項３】  前記第１の配置方法は、記録媒体上の印刷領域の縦横比に応じて前記複数の画像をトリミングして配置する配置方法であることを特徴とする請求項２に記載の画像処理装置。
【請求項４】  前記配置制御手段は、前記複数の画像の付帯情報を、前記複数の画像を配置した結果存在する余白部分に配置することを特徴とする請求項１乃至３のいずれか１項に記載の画像処理装置。
【請求項５】  前記選択手段は、画像を回転せずに配置する第２の配置方法を選択可能であり、
前記配置制御手段は、前記選択手段により第２の配置方法が選択された場合に、前記複数の画像の付帯情報を、前記複数の画像を配置した結果存在する画像外の余白部分に配置することを特徴とする請求項１乃至３のいずれか１項に記載の画像処理装置。
【請求項６】  前記配置制御手段による配置結果に基づいて、前記複数の画像及び当該複数の画像の付帯情報を記録媒体上に印刷出力する出力手段を備えることを特徴とする請求項１乃至５のいずれか１項に記載の画像処理装置。
【請求項７】  前記出力手段は、印刷出力機能を有する外部装置或いはシステムと通信することで、前記印刷出力を実施することを特徴とする請求項６に記載の画像処理装置。
【請求項８】  画像と当該画像の付帯情報を配置して印刷用紙にプリントするための制御を行う画像処理装置であって、
画像の周りに余白をつけるふちありモード、又は、画像の周りに余白をつけるふちなしモードを指定するモード指定手段と、
前記モード指定手段によりふちなしモードが指定された場合は、画像内に当該画像の付帯情報を配置し、ふちありモードが指定された場合は、画像外の余白部分に当該画像の付帯情報を配置する配置制御手段とを有することを特徴とする画像処理装置。
【請求項９】  複数の画像と当該複数の画像の付帯情報とを記録媒体上に配置してプリントするための画像処理方法であって、
前記複数の画像の配置方法を選択する選択工程と、
前記選択工程による画像の配置方法の選択に応じて、前記付帯情報の配置位置を画像内とするか画像外とするかを制御する配置制御工程とを有することを特徴とする画像処理方法。
【請求項１０】  前記選択工程は、記録媒体上の印刷領域の長辺と画像の長辺が一致するように画像を回転させて配置する第１の配置方法を選択可能であり、
前記配置制御工程は、前記選択工程により前記第１の配置方法が選択された場合に、前記付帯情報の配置位置を画像内とし、さらに、画像の回転に応じて前記付帯情報の配置位置も回転させることを特徴とする請求項９に記載の画像処理方法。
【請求項１１】  前記第１の配置方法は、記録媒体上の印刷領域の縦横比に応じて前記複数の画像をトリミングして配置する配置方法であることを特徴とする請求項１０に記載の画像処理方法。
【請求項１２】  前記配置制御工程は、前記複数の画像の付帯情報を、前記複数の画像を配置した結果存在する余白部分に配置することを特徴とする請求項９乃至１１のいずれか１項に記載の画像処理方法。
【請求項１３】  前記選択工程は、画像を回転せずに配置する第２の配置方法を選択可能であり、
前記配置制御工程は、前記選択工程により第２の配置方法が選択された場合に、前記複数の画像の付帯情報を、前記複数の画像を配置した結果存在する画像外の余白部分に配置することを特徴とする請求項９乃至１１のいずれか１項に記載の画像処理方法。
【請求項１４】  画像と当該画像の付帯情報を配置して印刷用紙にプリントするための制御を行う画像処理方法であって、
画像の周りに余白をつけるふちありモード、又は、画像の周りに余白をつけるふちなしモードを指定するモード指定工程と、
前記モード指定工程によりふちなしモードが指定された場合は、画像内に当該画像の付帯情報を配置し、ふちありモードが指定された場合は、画像外の余白部分に当該画像の付帯情報を配置する配置制御工程とを有することを特徴とする画像処理装置。
【請求項１５】  複数の画像と当該複数の画像の付帯情報とを記録媒体上に配置してプリントするための処理をコンピュータに実行させるためのプログラムであって、
前記複数の画像の配置方法を選択する選択処理と、
前記選択処理による画像の配置方法の選択に応じて、前記付帯情報の配置位置を画像内とするか画像外とするかを制御する配置制御処理とをコンピュータに実行させるためのプログラム。
【請求項１６】  画像と当該画像の付帯情報を配置して印刷用紙にプリントするための制御を行う処理をコンピュータに実行させるためのプログラムであって、
画像の周りに余白をつけるふちありモード、又は、画像の周りに余白をつけるふちなしモードを指定するモード指定処理と、
前記モード指定工程によりふちなしモードが指定された場合は、画像内に当該画像の付帯情報を配置し、ふちありモードが指定された場合は、画像外の余白部分に当該画像の付帯情報を配置する配置制御処理とをコンピュータに実行させるためのプログラム。
【請求項１７】  請求項１５又は１６に記載のプログラムを記録したコンピュータ読取可能な記憶媒体。
【手続補正３】
【補正対象書類名】明細書
【補正対象項目名】０００１
【補正方法】変更
【補正の内容】
【０００１】
【発明の属する技術分野】
本発明は、例えば、静止画を記録するスチルカメラやビデオカメラ等により撮像して得られた電子情報（画像及びその付帯情報）を、熱転写式プリンタやインクジェットプリンタ等のプリンタでプリント出力するための装置或いはシステムに用いられる、画像処理装置、画像処理方法、それを実施するためのプログラム及びそのプログラムを記憶したコンピュータ読出可能な記憶媒体に関するものである。
【手続補正４】
【補正対象書類名】明細書
【補正対象項目名】００１６
【補正方法】変更
【補正の内容】
【００１６】
【課題を解決するための手段】
本発明の画像処理装置は、複数の画像と当該複数の画像の付帯情報とを記録媒体上に配置してプリントするための画像処理装置であって、前記複数の画像の配置方法を選択する選択手段と、前記選択手段による画像の配置方法の選択に応じて、前記付帯情報の配置位置を画像内とするか画像外とするかを制御する配置制御手段とを有することを特徴とする。
本発明の別の画像処理装置は、画像と当該画像の付帯情報を配置して印刷用紙にプリントするための制御を行う画像処理装置であって、画像の周りに余白をつけるふちありモード、又は、画像の周りに余白をつけるふちなしモードを指定するモード指定手段と、前記モード指定手段によりふちなしモードが指定された場合は、画像内に当該画像の付帯情報を配置し、ふちありモードが指定された場合は、画像外の余白部分に当該画像の付帯情報を配置する配置制御手段とを有することを特徴とする。
本発明の画像処理方法は、複数の画像と当該複数の画像の付帯情報とを記録媒体上に配置してプリントするための画像処理方法であって、前記複数の画像の配置方法を選択する選択工程と、前記選択工程による画像の配置方法の選択に応じて、前記付帯情報の配置位置を画像内とするか画像外とするかを制御する配置制御工程とを有することを特徴とする。
本発明の別の画像処理方法は、画像と当該画像の付帯情報を配置して印刷用紙にプリントするための制御を行う画像処理方法であって、画像の周りに余白をつけるふちありモード、又は、画像の周りに余白をつけるふちなしモードを指定するモード指定工程と、前記モード指定工程によりふちなしモードが指定された場合は、画像内に当該画像の付帯情報を配置し、ふちありモードが指定された場合は、画像外の余白部分に当該画像の付帯情報を配置する配置制御工程とを有することを特徴とする。
本発明のプログラムは、複数の画像と当該複数の画像の付帯情報とを記録媒体上に配置してプリントするための処理をコンピュータに実行させるためのプログラムであって、前記複数の画像の配置方法を選択する選択処理と、前記選択処理による画像の配置方法の選択に応じて、前記付帯情報の配置位置を画像内とするか画像外とするかを制御する配置制御処理とをコンピュータに実行させる。
本発明の別のプログラムは、画像と当該画像の付帯情報を配置して印刷用紙にプリントするための制御を行う処理をコンピュータに実行させるためのプログラムであって、画像の周りに余白をつけるふちありモード、又は、画像の周りに余白をつけるふちなしモードを指定するモード指定処理と、前記モード指定工程によりふちなしモードが指定された場合は、画像内に当該画像の付帯情報を配置し、ふちありモードが指定された場合は、画像外の余白部分に当該画像の付帯情報を配置する配置制御処理とをコンピュータに実行させる。
本発明の記憶媒体は、本発明のプログラムを記録したコンピュータ読取可能な記憶媒体である。
【手続補正５】
【補正対象書類名】明細書
【補正対象項目名】００１７
【補正方法】削除
【補正の内容】
【手続補正６】
【補正対象書類名】明細書
【補正対象項目名】００１８
【補正方法】削除
【補正の内容】
【手続補正７】
【補正対象書類名】明細書
【補正対象項目名】００１９
【補正方法】削除
【補正の内容】
【手続補正８】
【補正対象書類名】明細書
【補正対象項目名】００２０
【補正方法】削除
【補正の内容】
【手続補正９】
【補正対象書類名】明細書
【補正対象項目名】００２１
【補正方法】削除
【補正の内容】
【手続補正１０】
【補正対象書類名】明細書
【補正対象項目名】００２２
【補正方法】削除
【補正の内容】
【手続補正１１】
【補正対象書類名】明細書
【補正対象項目名】００２３
【補正方法】削除
【補正の内容】
【手続補正１２】
【補正対象書類名】明細書
【補正対象項目名】００２４
【補正方法】削除
【補正の内容】
【手続補正１３】
【補正対象書類名】明細書
【補正対象項目名】００２５
【補正方法】削除
【補正の内容】
【手続補正１４】
【補正対象書類名】明細書
【補正対象項目名】００２６
【補正方法】削除
【補正の内容】
【手続補正１５】
【補正対象書類名】明細書
【補正対象項目名】００２７
【補正方法】削除
【補正の内容】
【手続補正１６】
【補正対象書類名】明細書
【補正対象項目名】００２８
【補正方法】削除
【補正の内容】
【手続補正１７】
【補正対象書類名】明細書
【補正対象項目名】００２９
【補正方法】削除
【補正の内容】
【手続補正１８】
【補正対象書類名】明細書
【補正対象項目名】００３０
【補正方法】削除
【補正の内容】
【手続補正１９】
【補正対象書類名】明細書
【補正対象項目名】００３１
【補正方法】削除
【補正の内容】
【手続補正２０】
【補正対象書類名】明細書
【補正対象項目名】００３２
【補正方法】削除
【補正の内容】
【手続補正２１】
【補正対象書類名】明細書
【補正対象項目名】００３３
【補正方法】削除
【補正の内容】
【手続補正２２】
【補正対象書類名】明細書
【補正対象項目名】００３４
【補正方法】削除
【補正の内容】
【手続補正２３】
【補正対象書類名】明細書
【補正対象項目名】００３５
【補正方法】削除
【補正の内容】
【手続補正２４】
【補正対象書類名】明細書
【補正対象項目名】００３６
【補正方法】削除
【補正の内容】
【手続補正２５】
【補正対象書類名】明細書
【補正対象項目名】００３７
【補正方法】削除
【補正の内容】
【手続補正２６】
【補正対象書類名】明細書
【補正対象項目名】００３８
【補正方法】削除
【補正の内容】
【手続補正２７】
【補正対象書類名】明細書
【補正対象項目名】００３９
【補正方法】削除
【補正の内容】
【手続補正２８】
【補正対象書類名】明細書
【補正対象項目名】００４０
【補正方法】削除
【補正の内容】
【手続補正２９】
【補正対象書類名】明細書
【補正対象項目名】００４１
【補正方法】削除
【補正の内容】
【手続補正３０】
【補正対象書類名】明細書
【補正対象項目名】００４２
【補正方法】削除
【補正の内容】
【手続補正３１】
【補正対象書類名】明細書
【補正対象項目名】００４３
【補正方法】削除
【補正の内容】
【手続補正３２】
【補正対象書類名】明細書
【補正対象項目名】００４４
【補正方法】削除
【補正の内容】
【手続補正３３】
【補正対象書類名】明細書
【補正対象項目名】００４５
【補正方法】削除
【補正の内容】
【手続補正３４】
【補正対象書類名】明細書
【補正対象項目名】００４６
【補正方法】削除
【補正の内容】
【手続補正３５】
【補正対象書類名】明細書
【補正対象項目名】００４７
【補正方法】削除
【補正の内容】
【手続補正３６】
【補正対象書類名】明細書
【補正対象項目名】００４８
【補正方法】削除
【補正の内容】
【手続補正３７】
【補正対象書類名】明細書
【補正対象項目名】００４９
【補正方法】削除
【補正の内容】
【手続補正３８】
【補正対象書類名】明細書
【補正対象項目名】００５０
【補正方法】削除
【補正の内容】